(57)【要約】      （修正有）【課題】目的の情報のみを得ることができ、必要な情報を見逃すことなく介護サービス施設・事業所及び医療施設に関するより多くの情報を得ることが可能な介護医療施設の求人入居情報紙を提供する。【解決手段】掲載欄を任意で組み合わせて紙面を構成した介護医療施設の求人入居情報紙で、紙面から任意で２つの紙面を選出し左面及び右面に並べて配置しＢ４版の紙面に２つの紙面を配置した介護医療施設の求人入居情報紙、２つの紙面を選出し表面及び裏面に配置しＢ４版又はＢ５版の紙面に２つの紙面を配置した介護医療施設の求人入居情報紙、前記介護医療施設の求人入居情報紙を表面及び裏面に配置することでＢ４版の紙面に４つの紙面を配置した介護医療施設の求人入居情報紙、前記情報紙を中心で二つ折りにしＢ５版又はＡ４版の冊子状に形成した介護医療施設の求人入居情報紙のように必要に応じて任意の紙面を選出し組み合わせることが可能とした。【選択図】図１
0003132336.tif 000002
【実用新案登録請求の範囲】
【請求項１】
紙面の最上部の左側にはタイトル欄を、最上部の右側には小型情報掲載欄を設け、前記タイトル欄の下部には上から下に３つの中型情報掲載欄を順に配置し、最下部に配置した中型情報掲載欄の下部には大型情報掲載欄を配置し、前記タイトル欄と前記小型情報掲載欄の下部には上から下に４つの中型情報掲載欄を順に配置し、前記小型情報掲載欄の下部右側には４つの極小情報掲載欄を上から下に順に配置し、前記中型情報掲載欄と極小情報掲載欄の下部には横型情報掲載欄を配置したことを特徴とする介護医療施設の求人入居情報紙。
【請求項２】
紙面の上部右側にタイトル欄を、紙面の上部左側に小型情報掲載欄を設け、前記小型情報掲載欄の下部には上から下に大型情報掲載欄、中型情報掲載欄、大型情報掲載欄を順に設け、前記タイトル欄の下部には上から下に大型情報掲載欄、中型情報掲載欄、中型情報掲載欄、中型情報掲載欄の順に設けたことを特徴とする介護医療施設の求人入居情報紙。
【請求項３】
紙面の最上部には帯状情報欄を、帯状情報欄の下部右側にタイトル欄を設け、前記タイトル欄の下部には上から下に３つの中型情報掲載欄を順に設け、前記帯状情報欄の下部左側には中型情報掲載欄を設け、前記中型情報掲載欄の下部には大型情報掲載欄を、大型情報掲載欄の下部には中型情報掲載欄を設けたことを特徴とする介護医療施設の求人入居情報紙。
【請求項４】
紙面の最上部の右側にはタイトル欄を、最上部の左側には小型情報掲載欄を設け、前記小型情報掲載欄の下部で紙面の左側には上から下に大型情報掲載欄、中型情報掲載欄、縦長情報掲載欄を順に設け、前記タイトル欄及び小型情報掲載欄の下部で紙面の中央部には上から下に大型情報掲載欄、中型情報掲載欄、中型情報掲載欄、中型情報掲載欄の順に配置し、前記タイトル欄の下部右側で紙面の右側には縦長情報掲載欄を設けたことを特徴とする介護医療施設の求人入居情報紙。
【請求項５】
紙面の最上部には帯状情報欄を設け、前記帯状情報欄の下部左側にはタイトル欄を、帯状情報欄の下部右側には中型情報掲載欄を配置し、タイトル欄６ｂの下部には上から下に３つの中型情報掲載欄を順に配置し、帯状情報欄の下部右側には中型情報掲載欄を上から下に３つの中型情報掲載欄を順に配置したことを特徴付けている介護医療施設の求人入居情報紙。
【請求項６】
紙面の最上部には帯状情報欄を設け、前記帯状情報欄の下部左側にはタイトル欄を、帯状情報欄の下部右側には中型情報掲載欄を配置し、タイトル欄の下部には上から下に３つの中型情報掲載欄を順に配置し、帯状情報欄の下部右側には中型情報掲載欄を上から下に３つの中型情報掲載欄を順に配置したことを特徴付けている介護医療施設の求人入居情報紙において、前記タイトル欄と前記中型情報掲載欄間の仕切線、前記中型情報掲載欄と前記中型情報掲載欄間の仕切線のいずれか１つ又は複数の仕切線を設けないことを特徴とする介護医療施設の求人入居情報紙。
【請求項７】
紙面の最上部には帯状情報欄を設けないことを特徴とする請求項５又は請求項６に記載の介護医療施設の求人入居情報紙。
【請求項８】
紙面の最上部には横方向に３つの小型情報掲載欄を設け、前記小型情報掲載欄の下部には４つの中型情報掲載欄を横方向に２つを設け、４つの中型情報掲載欄の下部には横方向に４つの極小情報掲載欄を上から下に設けたことを特徴とする介護医療施設の求人入居情報紙。
【請求項９】
紙面の上部から中央部にかけて横方向に２つの中型情報掲載欄を設け、前記中型情報掲載欄の下部左側には横方向に２つの極小情報掲載欄を設けるとともに下部右側には参考欄を設けたことを特徴とする介護医療施設の求人入居情報紙。
【請求項１０】
請求項１から請求項７に記載の介護医療施設の求人入居情報紙のいずれか２つの介護医療施設の求人入居情報紙の紙面を選択し、見開きとしたことを特徴とする介護医療施設の求人入居情報紙。
【請求項１１】
請求項１から請求項７に記載の介護医療施設の求人入居情報紙のいずれか２つの介護医療施設の求人入居情報紙を選択し、選択した１の介護医療施設の求人入居情報紙を表面に配置するとともに他の１の介護医療施設の求人入居情報紙を裏面に配置したことを特徴とする介護医療施設の求人入居情報紙。
【請求項１２】
請求項１から請求項７に記載の介護医療施設の求人入居情報紙のいずれか４つの介護医療施設の求人入居情報紙を選択し、選択した２の介護医療施設の求人入居情報紙を表面に配置するとともに他の２つの介護医療施設の求人入居情報紙を裏面に配置したことを特徴とする介護医療施設の求人入居情報紙。
【請求項１３】
請求項１から請求項７に記載の介護医療施設の求人入居情報紙のいずれか４つの介護医療施設の求人入居情報紙を選択し、選択した２の介護医療施設の求人入居情報紙を表面に配置するとともに他の２つの介護医療施設の求人入居情報紙を裏面に配置し、二つ折りにし冊子状にしたことを特徴とする介護医療施設の求人入居情報紙。
【考案の詳細な説明】
【技術分野】
【０００１】
本考案は、居宅サービス事業・居宅介護支援及び介護保険施設等を示す介護サービス施設・事業所の求人情報及び入居者募集情報又は病院・医院等を示す医療施設の求人情報を掲載し、地域に無料で配布する求人情報紙に関するものである。
【背景技術】
【０００２】
従来、介護サービス施設・事業所或いは医療施設等で働くことを希望する場合や介護サービス施設・事業所への入居を希望する場合には、新聞の折り込み広告として配布される特許文献１に記載の折り込み広告紙等を集めて情報を調べたり、介護又は医療専門の雑誌等の掲載記事から情報を集める等、複数の折り込み広告紙や情報紙を調べることとなる。
【０００３】
また、最近ではインターネット等のホームページ上に入居者募集情報や求人募集情報を掲載していることも多く、介護サービス施設・事業所や医療施設等が個々に公開しているホームページを検索して調べる必要がある。
【０００４】
しかしながら、特許文献１に記載の折り込み広告紙等は、タブロイド判サイズの用紙に多種多様な求人情報が多数掲載されているため、目的にあった情報のみを探し出すことが困難であると共に、必要な情報を見逃してしまう可能性もある。
【０００５】
また、多数の前記折り込み広告紙を集めても、複数の広告紙等に同じ施設の求人情報や入居者募集情報が掲載されていることが多いので、得られる情報は少ないという状況も頻繁に起こりうる。
【特許文献１】実用新案登録第３０８０４８４号
【考案の開示】
【考案が解決しようとする課題】
【０００６】
そこで、本考案は、介護サービス施設・事業所又は医療施設等の求人情報及び介護サービス施設・事業所の入居者募集情報のみを掲載し、１面に掲載する情報数を少なくした情報紙とすることで、介護サービス施設・事業所や医療施設での就職や介護サービス施設・事業所への入居を望む人が、目的の情報のみを得ることができ、また必要な情報を見逃すことなく介護サービス施設・事業所及び医療施設に関するより多くの情報を得られる介護医療施設の求人入居情報紙を提供することを目的とするものである。
【課題を解決するための手段】
【０００７】
本考案は、上記の課題を解決するためにタイトル及び情報紙の発行に関する情報を掲載するタイトル欄、居宅サービス事業、居宅介護支援及び介護保険施設等の介護サービス施設・事業所や病院・医院等の医療施設の求人情報を掲載する小型情報掲載欄、中型情報掲載欄、前記求人情報又は介護保険施設等の入居者募集情報を掲載する大型情報掲載欄、横型情報掲載欄、介護保険施設等の空き情報を掲載する極小情報掲載欄、縦長情報掲載欄、帯状情報掲載欄等の掲載欄を任意で組み合わせることを特徴とした介護医療施設の求人入居情報紙の構成とした。
【０００８】
また、前記介護医療施設の求人入居情報紙の各紙面から任意で２つの紙面２〜８を選出し左右に並べて配置することでＢ４版の紙面に２つの紙面を有する介護医療施設の求人入居情報紙９、同様に２つの紙面を選出し表裏に配置することでＢ４版又はＢ５版の紙面に２つの紙面を有する介護医療施設の求人入居情報紙１０、前記情報紙９を表裏に配置することでＢ４版の紙面に４面の紙面を有する介護医療施設の求人入居情報紙１３、前記情報紙１３を中心で二つ折りにすることでＢ５版又はＡ４版の冊子状に形成した介護医療施設の求人入居情報紙１４のように、必要に応じた紙面１〜１ｆ、９〜１４を選出し組み合わせることが可能としたことを特徴とする介護医療施設の求人入居情報紙の構成とした。
【０００９】
前記介護医療施設の求人入居情報紙９、１０、１３、１４の掲載情報は、居宅サービス事業、居宅介護支援及び介護保険施設等の介護サービス施設・事業所の求人情報及び入居者募集情報のみを掲載した介護サービス施設・事業所の求人及び入居専門の情報紙、病院・医院等の医療施設の求人情報のみを掲載した医療施設の求人専門の情報紙、介護サービス施設・事業所及び医療施設の求人情報と介護サービス施設・事業所の入居者募集情報を掲載した介護サービス施設・事業所及び医療施設の求人及び入居者募集専門の情報紙とすることを特徴とする介護医療施設の求人入居情報紙とした。
【考案の効果】
【００１０】
本考案は、介護サービス施設・事業所等の求人情報及び入居者募集情報又は医療施設の求人情報のみを掲載した情報紙であるために、介護サービス施設・事業所或いは医療施設での就職又は介護サービス施設・事業所への入居を希望する人が目的の情報のみを得ることができ、また情報掲載欄を大きくすることで１面に掲載される情報掲載数が少ないために、必要な情報を見落とすことなく、より詳細に得ることが可能である。
【００１１】
また、Ｂ４版あるいはＢ５版で形成することから、通常の折り込み広告紙や求人誌とサイズが違うため、他の用紙に紛れて紛失する恐れをなくすと共に、保存しやすい大きさであるために保存性に優れている。
【考案を実施するための最良の形態】
【００１２】
本考案である介護医療施設の求人入居情報紙は、タイトル欄、小型情報掲載欄、中型情報掲載欄、大型情報掲載欄、横型情報掲載欄、極小情報掲載欄、縦長情報掲載欄、帯状情報掲載欄等の掲載欄を任意で組み合わせて紙面１〜７を構成し、前記紙面１〜７から任意で２つの紙面を選出し左右に並べて配置することにより１枚の紙面に２つの紙面を有する介護医療施設の求人入居情報紙９、同様に２つの紙面を選出し表裏に配置することで１枚の紙面に２つの紙面を有する介護医療施設の求人入居情報紙１０、前記情報紙９を表裏に配置することで１枚の紙面に４つの紙面を有する介護医療施設の求人入居情報紙１３、前記情報紙１３を中心で二つ折りにすることで冊子状に形成した介護医療施設の求人入居情報紙１４のように、必要に応じた紙面を選出し組み合わせることが可能としたことを特徴とするものである。
【実施例１】
【００１３】
図１は、本考案である介護医療施設の求人入居情報紙の第１実施例の紙面を示した図である。図１に示すように、本考案である介護医療施設の求人入居情報紙の紙面２は、タイトル欄２ａ、小型情報掲載欄２ｂ、中型情報掲載欄２ｃ、大型情報掲載欄２ｄ、極小情報掲載欄２ｅ、横型情報掲載欄２ｆの組み合わせにより紙面２が構成されている。紙面２の最上部の左側にはタイトル欄２ａがあり、最上部の右側には小型情報掲載欄２ｂを設ける。タイトル欄２ａの下部には上から下に３つの中型情報掲載欄２ｃ、２ｃ、２ｃを順に配置し、最下部に配置した中型情報掲載欄２ｃの下部には大型情報掲載欄２ｄを配置する。また、タイトル欄２ａと小型情報掲載欄２ｂの下部には、上から下に４つの中型情報掲載欄２ｃ、２ｃ、２ｃ、２ｃを順に配置する。更に、小型情報掲載欄２ｂの下部右側には、４つの極小情報掲載欄２ｅ、２ｅ、２ｅ、２ｅが上から下に順に配置する。中型情報掲載欄２ｃと極小情報掲載欄２ｅの下部には、横型情報掲載欄２ｆを配置する。本例の考案は、中型情報掲載欄２ｃ、大型情報掲載欄２ｄ、極小情報掲載欄２ｅ、横型情報掲載欄２ｆの組み合わせにより紙面２が構成されている。
【００１４】
紙面２を構成するタイトル欄２ａには、本考案である介護医療施設の求人入居情報紙のタイトルの他に、発行部数や配布する地域及び発行元の連絡先等の情報紙の発行に関する情報が掲載される。タイトル欄２ａは、紙面２上部左側に設ける。
【００１５】
小型情報掲載欄２ｂには、情報掲載者である施設名、所在地、介護サービス施設・事業所の入居資格や入居に係る費用等の募集要項、施設の写真等の情報が掲載される。この小型情報掲載欄２ｂは、紙面２の上部右側に設ける。即ち、タイトル欄２ａの左側に連続して設ける。
【００１６】
中型情報掲載欄２ｃ、２ｃ、２ｃ、２ｃ、２ｃ、２ｃ、２ｃには、情報掲載者である施設名、所在地、入居資格や費用等の募集要項、施設の写真や地図等の情報を掲載する。この中型情報掲載欄２ｃは、タイトル欄２ａ及び小型情報掲載欄２ｂの下部に設けてある。これらの中型情報掲載欄２ｃ、２ｃ、２ｃ、２ｃ、２ｃ、２ｃ、２ｃは、やや横長であり同形同大である。
【００１７】
大型情報掲載欄２ｄには、情報掲載者である施設名、所在地、入居資格や費用等の募集要項、施設の写真等の他に施設概要等の情報が掲載される。この大型情報掲載欄２ｄは、
縦長であり中型情報掲載欄２ｃ、２ｃ、２ｃの下部に設け、その大きさは中型情報掲載欄２ｃ、２ｃ、２ｃ、２ｃ、２ｃ、２ｃ、２ｃの倍の大きさである。
【００１８】
極小情報掲載欄２ｅ、２ｅ、２ｅ、２ｅには、情報掲載者である施設名、所在地や募集要項等の必要事項が欄の大きさに応じて掲載される。これらの極小情報掲載欄２ｅ、２ｅ、２ｅ、２ｅは、同形同大でありやや縦長である。そして、極小情報掲載欄２ｅ、２ｅ、２ｅ、２ｅは中型情報掲載欄２ｃ、２ｃ、２ｃ、２ｃの右側で小型情報掲載欄２ｂの右部の下部に縦方向に配置する。
【００１９】
横型情報掲載欄２ｆには、情報掲載者である施設名、所在地、募集要項等の必要事項や施設の写真等を掲載する。この横長の横型情報掲載欄２ｆは、紙面２の最下部の右側に配置する。
【００２０】
介護医療施設の求人入居情報紙１の紙面２を構成するタイトル欄２ａ、小型情報掲載欄２ｂ、中型情報掲載欄２ｃ、大型情報掲載欄２ｄ、極小情報掲載欄２ｅ、横型情報掲載欄２ｆの配置は図示した配置に限らず、任意で組み合わせて紙面２を構成してもよい。
【実施例２】
【００２１】
図２は、本考案である介護医療施設の求人入居情報紙の第２実施例の紙面を示した図である。図２に示すように、本考案である介護医療施設の求人入居情報紙１ａは、紙面３の上部右側にタイトル欄３ａを、紙面３の上部左側に小型情報掲載欄３ｂを設ける。また、小型情報掲載欄３ｂの下部には上から下に大型情報掲載欄３ｃ、中型情報掲載欄３ｄ、大型情報掲載欄３ｃを順に設ける。タイトル欄３ａの下部には上から下に大型情報掲載欄３ｃ、中型情報掲載欄３ｄ、中型情報掲載欄３ｄ、中型情報掲載欄３ｄの順に設ける。
【００２２】
タイトル欄３ａには、図１に示したタイトル欄２ａと同様に本考案である介護医療施設の求人入居情報紙のタイトルの他に、発行部数、配布地域及び発行元の連絡先等の情報紙の発行に関する情報を掲載する。
【００２３】
小型情報掲載欄３ｂには、情報掲載者である施設名、所在地や介護サービス施設・事業所の入居資格や入居に係る費用等の募集要項を掲載する。
【００２４】
大型情報掲載欄３ｃには、情報掲載者である施設名、所在地や介護サービス施設・事業所の入居に関する募集要項の他に入居者の体験談や施設概要等の情報を掲載する。
【００２５】
中型情報掲載欄３ｄには、情報掲載者である施設名、所在地や入居に関する募集要項、施設の写真や地図等の情報を掲載する。
【００２６】
介護医療施設の求人入居情報紙１ａの紙面３を構成するタイトル欄３ａ、小型情報掲載欄３ｂ、大型情報掲載欄３ｃ、中型情報掲載欄３ｄの配置は図示した配置に限らず、任意で組み合わせて紙面３を構成する。
【実施例３】
【００２７】
図３は、本考案である介護医療施設の求人入居情報紙の第３実施例の紙面を示した図である。図３に示すように、本考案である介護医療施設の求人入居情報紙１ｂは、紙面４の最上部には帯状情報欄４ａを設ける。帯状情報欄４ａの下部右側にタイトル欄４ｂを設け、タイトル欄４ｂの下部には上から下に３つの中型情報掲載欄４ｃ、４ｃ、４ｃを順に設ける。また、帯状情報欄４ａの下部左側には中型情報掲載欄４ｃを設ける。前記中型情報掲載欄４ｃの下部には大型情報掲載欄４ｄを、大型情報掲載欄４ｄの下部には中型情報掲載欄４ｃを設ける。
【００２８】
紙面４の最上部に配置された帯状情報欄４ａには、介護サービス施設・事業所又は医療施設の求人募集及び入居者募集の情報紙であることが一目瞭然となるように「医療・介護」、「入居募集」や「求人情報」等の文字が書かれている。
【００２９】
タイトル欄４ｂには、介護医療施設の求人入居情報紙１及び介護医療施設の求人入居情報紙１ａのタイトル欄２ａ、３ａと同様に、本考案である介護医療施設の求人入居情報紙のタイトル、発行部数、配布地域及び発行元の連絡先の他に配布地域の地図等、情報紙の発行に関する情報が掲載される。
【００３０】
大型情報掲載欄４ｄには、情報掲載者である施設名、所在地、入居者或いは求人の募集要項、メッセージ、入居案内等を掲載する。各情報掲載欄に設けた写真欄４ｅには、施設等の写真だけでなく地図等を掲載することも可能である。また、メッセージ欄４ｆには、入居者の体験談やメッセージ、入居者の様子を撮影した写真等を掲載してもかまわない。
【００３１】
介護医療施設の求人入居情報紙１ｂの紙面４を構成する帯状情報欄４ａ、タイトル欄４ｂ、中型情報掲載欄４ｃ、大型情報掲載欄４ｄの配置は図３に示した配置に限らず、任意で組み合わせて紙面４を構成しても良い。
【実施例４】
【００３２】
図４は、本考案である介護医療施設の求人入居情報紙の第４実施例の紙面を示した図である。図４に示すように、本考案である介護医療施設の求人入居情報紙１ｃの紙面５は、タイトル欄５ａ、小型情報掲載欄５ｂ、大型情報掲載欄５ｃ、中型情報掲載欄５ｄ、縦長情報掲載欄５ｅの組み合わせにより紙面５が構成される。紙面５の最上部の右側にはタイトル欄５ａが、左側には小型情報掲載欄５ｂが配置してある。小型情報掲載欄５ｂの下部で紙面５の左側には、上から下に大型情報掲載欄５ｃ、中型情報掲載欄５ｄ、縦長情報掲載欄５ｅが順に設けてある。また、タイトル欄５ａ及び小型情報掲載欄５ｂの下部で紙面５の中央部には、上から下に大型情報掲載欄５ｃ、中型情報掲載欄５ｄ、中型情報掲載欄５ｄ、中型情報掲載欄５ｄの順に配置する。更に、タイトル欄５ａの下部右側で紙面５の右側には、縦長情報掲載欄５ｅを設ける。
【００３３】
タイトル欄５ａには、図１から図３に示した介護医療施設の求人入居情報紙１から介護医療施設の求人入居情報紙１ｂと同様に本介護医療施設の求人入居情報紙のタイトル、発行部数、配布地域及び発行元の連絡先等の情報紙の発行に関する情報を掲載する。
【００３４】
小型情報掲載欄５ｂ、大型情報掲載欄５ｃ、中型情報掲載欄５ｄにはそれぞれ、情報掲載者である施設名、所在地、入居者或いは求人の募集要項、施設の写真等が各欄の大きさに応じて掲載する。
【００３５】
縦長情報掲載欄５ｅには、入居者募集記事を掲載した施設以外の介護サービス施設・事業所の空き情報が施設名、住所、電話番号等の必要最小限の内容で箇条書きに掲載する。
【００３６】
介護医療施設の求人入居情報紙１ｃの紙面５を構成するタイトル欄５ａ、小型情報掲載欄５ｂ、大型情報掲載欄５ｃ、中型情報掲載欄５ｄ及び縦長情報掲載欄５ｅの配置は図示したとおりとは限らず、任意で組み合わせて配置することで紙面５を構成する。
【実施例５】
【００３７】
図５は、本考案である介護医療施設の求人入居情報紙の第５実施例の紙面を示した図である。図５に示すように、本考案である介護医療施設の求人入居情報紙１ｄは、帯状情報欄６ａ、タイトル欄６ｂ、中型情報掲載欄６ｃで紙面６が構成されている。紙面６の最上部には帯状情報欄６ａがある。帯状情報欄６ａの下部左側にはタイトル欄６ｂを、帯状情報欄６ａの下部右側には中型情報掲載欄６ｃを配置する。また、タイトル欄６ｂの下部には上から下に３つの中型情報掲載欄６ｃ、６ｃ、６ｃを順に配置する。更に、帯状情報欄６ａの下部右側には中型情報掲載欄６ｃを上から下に３つの中型情報掲載欄６ｃ、６ｃ、６ｃを順に配置する。符号６ｄ〜６ｇは仕切線である。
【００３８】
紙面６の最上部に配置された帯状情報欄６ａには、介護医療施設の求人入居情報紙１ｂの帯状情報欄４ａと同様に、「入居募集」や「求人情報」等の文字が書かれているが、紙面の内容が一目瞭然となるものであれば、任意で他の文字に変えてもよい。
【００３９】
タイトル欄６ｂにはこれまで同様にタイトル等の情報紙に関する情報が掲載され、中型情報掲載欄６ｃも同様に情報掲載者である施設名、所在地、入居者或いは求人の募集要項、写真、連絡先等の情報を掲載する。
【００４０】
図５に示した介護医療施設の求人入居情報紙１ｄは、上部に帯状情報欄６ａを配置し、掲載記事は４段組として、タイトル欄６ｂ及び中型情報掲載欄６ｃを配置しているが、図示した配置に限らず任意で組み合わせて配置することで紙面６を構成する。本例では、紙面６の最上部の帯状情報欄６ａは設けなくてもよい。タイトル欄６ｂと中型情報掲載欄６ｃ間に設けてある仕切線６ｄは設けなくてもよい。また、中型情報掲載欄６ｃと中型情報掲載欄６ｃ間に設けてある仕切線６ｅ、６ｆ、６ｇもまた設けなくてもよい。更に、仕切線６ｄ、６ｅ、６ｆを設け、仕切線６ｇは設けない構成としてもよい。このように、必要に応じて、仕切線６ｄ〜６ｇは設けたり設けなかったりしてもよい。
【実施例６】
【００４１】
図６は、本考案である介護医療施設の求人入居情報紙の第６実施例の紙面を示した図である。図６に示すように、本考案である介護医療施設の求人入居情報紙１ｅは、小型情報掲載欄７ａ、中型情報掲載欄７ｂ、極小情報掲載欄７ｃで構成されている。紙面７の最上部には、横方向に３つの小型情報掲載欄７ａ、７ａ、７ａを設け、小型情報掲載欄７ａ、７ａ、７ａの下部には４つの中型情報掲載欄７ｂ、７ｂ、７ｂ、７ｂを横方向に２つを２段に設ける。勿論、２段以上設けてもよい。また、４つの中型情報掲載欄７ｂ、７ｂ、７ｂ、７ｂの下部には、横方向に４つの極小情報掲載欄７ｃ、７ｃ、７ｃ、７ｃを上から下に４段設ける。４段以上設けてもよい。
【００４２】
小型情報掲載欄７ａ及び中型情報掲載欄７ｂには、情報掲載者である施設名、所在地、募集要項、連絡先等がそれぞれ各欄の大きさに合わせて掲載されている。もちろん、施設の写真や地図等を含めてもよい。
【００４３】
極小情報掲載欄７ｃは、介護サービス施設・事業所の空き情報を掲載するための欄である。施設名、連絡先、空き情報等を掲載することで、募集記事を掲載している施設だけではなく、入居できる可能性がある施設を掲載し、介護サービス施設・事業所への入居を希望する人に対してより多くの選択肢を提供することができる。
【００４４】
介護医療施設の求人入居情報紙１ｅの紙面７を構成する小型情報掲載欄７ａ、中型情報掲載欄７ｂ、極小情報掲載欄７ｃの配置は、図示した配置に限らず、任意で組み合わせて配置することで、紙面７を構成する。
【実施例７】
【００４５】
図７は、本考案である介護医療施設の求人入居情報紙の第７実施例の紙面を示した図である。図７に示すように、本考案である介護医療施設の求人入居情報紙１ｆは、中型情報掲載欄８ａ、極小情報掲載欄８ｂ、参考欄８ｃで紙面８が構成されている。紙面８の上部から中央部にかけて、横方向に２つの中型情報掲載欄８ａ、８ａを３段に設ける。そして、６つの中型情報掲載欄８ａ、８ａの下部左側には横方向に２つの極小情報掲載欄８ｂ、８ｂを３段に設け、下部右側には参考欄８ｃを設ける。勿論、３段以上設けてもよい。
【００４６】
中型情報掲載欄８ａには、情報掲載者である施設名、所在地、入居者或いは求人の募集要項を掲載する。
【００４７】
極小情報掲載欄８ｂには、図６に示した介護医療施設の求人入居情報紙１ｅの極小情報掲載欄７ｃと同様に、介護サービス施設・事業所の空き情報を掲載する。
【００４８】
参考欄８ｃとは、医療や介護に関する情報を掲載した欄で、例えば「グループホーム」、「介護老人保健施設」、「特別養護老人ホーム」等、様々な介護サービス施設・事業所が存在するので、施設それぞれの入居対象者や施設の特色等を記載することにより、利用者が入居先を決める場合の参考となるような一言の情報等を掲載する欄である。
【００４９】
介護医療施設の求人入居情報紙１ｆの紙面８を構成する中型情報掲載欄３ａ、極小情報掲載欄８ｂ、参考欄８ｃは、任意で組み合わせて配置することで紙面８を構成する。
【００５０】
図１から図７に示した介護医療施設の求人入居情報紙１、１ａ、１ｂ、１ｃ、１ｄ、１ｅ、１ｆの紙面２、３、４、５、６、７、８を構成する情報掲載欄は、図示した情報掲載欄に限らず、全ての紙面において、タイトル欄、小型情報掲載欄、中型情報掲載欄、大型情報掲載欄、横型情報掲載欄、極小情報掲載欄、縦長情報掲載欄、帯状情報掲載欄等の掲載欄を任意で組み合わせて構成してもよい。
【実施例８】
【００５１】
図８は、本考案である介護医療施設の求人入居情報紙の第８実施例の紙面を示した図である。図８に示すように、本考案である介護医療施設の求人入居情報紙９は、Ｂ４版の紙面に介護医療施設の求人入居情報紙１及び介護医療施設の求人入居情報紙１ｃの２つの紙面が配置してある。
【００５２】
図８に示す介護医療施設の求人入居情報紙９は、図１から図７に示した介護医療施設の求人入居情報紙１、介護医療施設の求人入居情報紙１ａ、介護医療施設の求人入居情報紙１ｂ、介護医療施設の求人入居情報紙１ｃ、介護医療施設の求人入居情報紙１ｄ、介護医療施設の求人入居情報紙１ｅ、介護医療施設の求人入居情報紙１ｆの中から図１の介護医療施設の求人入居情報紙１と図４の介護医療施設の求人入居情報紙１ｃを選出し、見開きの紙面に構成とした。
【００５３】
前記介護医療施設の求人入居情報紙９は、図示した介護医療施設の求人入居情報紙１及び介護医療施設の求人入居情報紙１ｃに限らず、任意で必要な介護医療施設の求人入居情報紙を選出して１枚の紙面の左右に形成することが可能であり、このとき２パターンの介護医療施設の求人入居情報紙を使用しなくても、例えば介護医療施設の求人入居情報紙１ａを２面用いて形成しても良い。
【実施例９】
【００５４】
図９は、本考案である介護医療施設の求人入居情報紙の第９実施例の紙面を示した図である。図９は、本考案である介護医療施設の求人入居情報紙の第９実施例を示した図である。図９に示すように、本考案である介護医療施設の求人入居情報紙１０は、表面と裏面に介護医療施設の求人入居情報紙１、１ｃの紙面２、５が配置してある。このとき、紙面の大きさはＢ４版或いはＢ５版とする。勿論、Ｂ４版、Ｂ５版以外の任意の大きさとしてもよい。
【００５５】
介護医療施設の求人入居情報紙１０は、介護医療施設の求人入居情報紙１、１ａ、１ｂ、１ｃ、１ｄ、１ｅ、１ｆの中から、図１の介護医療施設の求人入居情報紙１の紙面２と図４の介護医療施設の求人入居情報紙１ｃ、１ｄの紙面５、６を選出し、左面には介護医療施設の求人入居情報紙１ｃの紙面５を、右面には介護医療施設の求人入居情報紙１ｄの紙面６を配置した介護医療施設の求人入居情報紙である。
【００５６】
介護医療施設の求人入居情報紙１０も図８に示した介護医療施設の求人入居情報紙９と同様に、必要な介護医療施設の求人入居情報紙の紙面を選出し、１枚の介護医療施設の求人入居情報紙の左面及び右面に配置した介護医療施設の求人入居情報紙である。
【００５７】
図１０と図１１は、本考案である介護医療施設の求人入居情報紙の他の実施例を示す図である。以下の実施例は、介護医療施設の求人入居情報紙１、１ａ、１ｂ、１ｃ、１ｄ、１ｅ、１ｆの中から任意で必要な紙面２ー８、を選出し、左面と右面に配置して見開きとした介護医療施設の求人入居情報紙の実施例である。
【実施例１０】
【００５８】
図１０は、本考案である介護医療施設の求人入居情報紙の第１０実施例の紙面を示した図である。図１０に示すように、本例では、図３の介護医療施設の求人入居情報紙１ｂの紙面４と図５の介護医療施設の求人入居情報紙１ｄの紙面６を選出し、紙面４を左面に配置するとともに紙面６を右面に配置した紙面１１である。尚、紙面１１の大きさはＢ４版である。勿論、Ｂ４版以外の大きさとしてもよい。
【実施例１１】
【００５９】
図１１は、本考案である介護医療施設の求人入居情報紙の第１１実施例の紙面を示した図である。図１１に示すように、介護医療施設の求人入居情報紙１ー１ｆの紙面から２つの紙面７、８を選出し、左面及び右面に配置して紙面１２の構成とする。本例では、図６の介護医療施設の求人入居情報紙１ｅの紙面７及び図７の介護医療施設の求人入居情報紙１ｆの紙面８を選出し、左面及び右面に配置して紙面１２とした。紙面１１と同様に、紙面１２の大きさはＢ４版である。勿論、Ｂ４版以外の大きさとしてもよい。
【実施例１２】
【００６０】
図１２は、本考案である介護医療施設の求人入居情報紙の第１２実施例の紙面を示した図である。図１２に示すように、介護医療施設の求人入居情報紙１ｂの紙面４及び介護医療施設の求人入居情報紙１ｄの紙面６を介護医療施設の求人入居情報紙１３の表面１３ａとして紙面１１に配置する。そして、介護医療施設の求人入居情報紙１ｅの紙面７及び介護医療施設の求人入居情報紙１ｆの紙面８を介護医療施設の求人入居情報紙１３の裏面１３ｂとして紙面１２に配置する。介護医療施設の求人入居情報紙１３の表面１３ａ、裏面１３ｂにそれぞれ配置することで、Ｂ４版１枚の紙面１１、１２に４つの紙面５，６、７、８が存在する。
【００６１】
即ち、介護医療施設の求人入居情報紙１３の表面１３ａには、介護医療施設の求人入居情報紙１ｃの紙面５及び介護医療施設の求人入居情報紙１ｄの紙面６を配置する。裏面１３ｂには、介護医療施設の求人入居情報紙１ｅの紙面７及び介護医療施設の求人入居情報紙１ｆの紙面８を紙面１２に配置する。介護医療施設の求人入居情報紙１３は、Ｂ４版の１枚の表面及び裏面に介護医療施設の求人入居情報紙１ｃ、介護医療施設の求人入居情報紙１ｄ、介護医療施設の求人入居情報紙１ｅ、介護医療施設の求人入居情報紙１ｆの紙面５、６、７、８を同時に掲載することができる。介護医療施設の求人入居情報紙１３の大きさは、Ｂ４版であってもＢ４版以外の任意の大きさの版としてもよい。
【実施例１３】
【００６２】
図１３は、本考案である介護医療施設の求人入居情報紙の第１３実施例の紙面を示した図である。第１３実施例は、第１１実施例及び第１２実施例の介護医療施設の求人入居情報紙１１、１２を使用した実施例である。
【００６３】
本実施例は、本考案である介護医療施設の求人入居情報紙１３を紙面１２を内面にして中心から折りたたみ二つ折りにすることで、Ｂ５版の冊子状の介護サービス施設・事業所等の入居及び求人情報紙１４を形成することができる。
【００６４】
即ち、冊子状に形成した介護医療施設の求人入居情報紙１４は、表紙面１４ａに介護医療施設の求人入居情報紙１ｄ、内部左面１４ｃに介護医療施設の求人入居情報紙１ｅ、内部右面１４ｄに介護医療施設の求人入居情報紙１ｆ、裏表紙面１４ｂに介護医療施設の求人入居情報紙１ｂがそれぞれ配置される。
【００６５】
介護医療施設の求人入居情報紙１４の有する各紙面１４ａー１４ｄは、各介護医療施設の求人入居情報紙１、１ａ、１ｂ、１ｃ、１ｄ、１ｅ、１ｆから任意で４つの紙面を選択し、複数枚を重ねて数ページの冊子状の介護医療施設の求人入居情報紙としてもよい。
【００６６】
また、第１３実施例の介護医療施設の求人入居情報紙１４とする際には、第１３実施例に示した４つの紙面１４ａー１４ｄを有する介護医療施設の求人入居情報紙１３をＡ３版で作成し、介護医療施設の求人入居情報紙１４をＡ４版の冊子状の介護医療施設の求人入居情報紙としてもよい。
【００６７】
介護医療施設の求人入居情報紙１、１ａ、１ｂ、１ｃ、１ｄ、１ｅ、１ｆの紙面２ー８の２つの紙面或いは４つの紙面を選出して１枚の紙面を形成した介護医療施設の求人入居情報紙として利用する以外にも、それぞれ１つの紙面として利用することも可能である。それにより、ある地域のみの介護サービス施設・事業所或いは医療施設の求人情報及び介護サービス施設・事業所の入居者募集情報を集めた１面の介護医療施設の求人入居情報紙として、地域で配布されるコミュニティー誌等と提携して、コミュニティー誌に掲載したり、雑誌の１ページとして掲載する等の利用も可能となる。
【００６８】
本考案である介護医療施設の求人入居情報紙は、介護サービス施設・事業所等の求人情報及び入居者募集情報のみを集めて掲載した介護医療施設の求人入居情報紙１、１ａ、１ｂ、１ｃ、１ｄ、１ｅ、１ｆ又は介護医療施設の求人入居情報紙９、１０、１３、１４の構成の介護医療施設の求人入居情報紙とすることにより、介護サービス施設・事業所の求人及び入居者募集専門の情報紙を構成する。これにより介護サービス施設・事業所で働くことを望む場合や施設への入居を望む場合に、介護サービス施設・事業所のみに関する情報を得やすくなる。
【００６９】
また、本考案である介護医療施設の求人入居情報紙は、医療施設の求人情報のみを集めて掲載した介護医療施設の求人入居情報紙１、１ａ、１ｂ、１ｃ、１ｄ、１ｅ、１ｆ又は介護医療施設の求人入居情報紙９、１０、１３、１４の形態とすることで、医療施設の求人専門の情報紙を構成する。これにより、医療施設の求人情報のみを容易に得ることができる。
【００７０】
更に、本考案である介護医療施設の求人入居情報紙は、介護サービス施設・事業所の求人及び入居者募集情報と医療施設の求人情報を集めて掲載した介護医療施設の求人入居情報紙１、１ａ、１ｂ、１ｃ、１ｄ、１ｅ、１ｆ又は介護医療施設の求人入居情報紙９、１０、１３、１４の構成の介護医療施設の求人入居情報紙とすることで、介護サービス施設・事業所及び医療に関する求人及び入居者募集専門の情報紙を構成する。これにより、介護或いは医療に関する仕事を望む場合や施設への入居を望む場合に、必要な情報のみを容易に得ることができる。
【図面の簡単な説明】
【００７１】
【図１】本考案である介護医療施設の求人入居情報紙の第１実施例を示した図である。
【図２】本考案である介護医療施設の求人入居情報紙の第２実施例を示した図である。
【図３】本考案である介護医療施設の求人入居情報紙の第３実施例を示した図である。
【図４】本考案である介護医療施設の求人入居情報紙の第４実施例を示した図である。
【図５】本考案である介護医療施設の求人入居情報紙の第５実施例を示した図である。
【図６】本考案である介護医療施設の求人入居情報紙の第６実施例を示した図である。
【図７】本考案である介護医療施設の求人入居情報紙の第７実施例を示した図である。
【図８】本考案である介護医療施設の求人入居情報紙の第８実施例を示した図である。
【図９】本考案である介護医療施設の求人入居情報紙の第９実施例を示した図である。
【図１０】本考案である介護医療施設の求人入居情報紙の第１０実施例を示した図である。
【図１１】本考案である介護医療施設の求人入居情報紙の第１１実施例を示した図である。
【図１２】本考案である介護医療施設の求人入居情報紙の第１２実施例を示した図である。
【図１３】本考案である介護医療施設の求人入居情報紙の第１３実施例を示した図である。
【符号の説明】
【００７２】
１            介護医療施設の求人入居情報紙
１ａ          介護医療施設の求人入居情報紙
１ｂ          介護医療施設の求人入居情報紙
１ｃ          介護医療施設の求人入居情報紙
１ｄ          介護医療施設の求人入居情報紙
１ｅ          介護医療施設の求人入居情報紙
１ｆ          介護医療施設の求人入居情報紙
２            紙面
２ａ          タイトル欄
２ｂ          小型情報掲載欄
２ｃ          中型情報掲載欄
２ｄ          大型情報掲載欄
２ｅ          極小情報掲載欄
２ｆ          横型情報掲載欄
３            紙面
３ａ          タイトル欄
３ｂ          小型情報掲載欄
３ｃ          大型情報掲載欄
３ｄ          中型情報掲載欄
４            紙面
４ａ          帯状情報欄
４ｂ          タイトル欄
４ｃ          中型情報掲載欄
４ｄ          大型情報掲載欄
４ｅ          写真欄
４ｆ          メッセージ欄
５            紙面
５ａ          タイトル欄
５ｂ          小型情報掲載欄
５ｃ          大型情報掲載欄
５ｄ          中型情報掲載欄
５ｅ          縦長情報掲載欄
６            紙面
６ａ          帯状情報欄
６ｂ          タイトル欄
６ｃ          中型情報掲載欄
６ｄー６ｇ    仕切線
７            紙面
７ａ          小型情報掲載欄
７ｂ          中型情報掲載欄
７ｃ          極小情報掲載欄
８            紙面
８ａ          中型情報掲載欄
８ｂ          極小情報掲載欄
８ｃ          参考欄
９            介護医療施設の求人入居情報紙
１０            介護医療施設の求人入居情報紙
１１            紙面
１２            紙面
１３            介護医療施設の求人入居情報紙
１３ａ          表面
１３ｂ          裏面
１４            介護医療施設の求人入居情報紙
１４ａ          表紙面
１４ｂ          裏表紙面
１４ｃ          内部左面
１４ｄ          内部右面
【図１】
0003132336.tif 000003
【図２】
0003132336.tif 000004
【図３】
0003132336.tif 000005
【図４】
0003132336.tif 000006
【図５】
0003132336.tif 000007
【図６】
0003132336.tif 000008
【図７】
0003132336.tif 000009
【図８】
0003132336.tif 000010
【図９】
0003132336.tif 000011
【図１０】
0003132336.tif 000012
【図１１】
0003132336.tif 000013
【図１２】
0003132336.tif 000014
【図１３】
0003132336.tif 000015